(57)【特許請求の範囲】
【請求項１】
トラック（２）に積み下ろし可能に搭載されるコンテナ（３）内に設けられた、水平方向に回転する巻き取りリール（５）を複数段に積み重ね、それらの巻き取りリール（５）がそれぞれ独立して又は一体として回転駆動される巻き取り機（４）と、前記コンテナ（３）の側面に設けられた、地上近傍から前記巻き取りリール（５）の高さにまで斜め上方に向かって配置され、地上に水平に敷設された扁平状態のホース（１７）を略前記巻き取りリール（５）の高さにまで引き上げるローラーコンベア（１５）と、当該ホース（１７）を垂直方向に捩じり、前記巻き取りリール（５）にまで案内する案内ローラー群（１９）とよりなり、当該コンテナ（３）をトラック（２）に搭載した状態で当該トラック（２）を地上に敷設されたホース（１７）に沿って操縦し、当該ホース（１７）を順次拾い上げてリール（５）に巻き取るようにしたことを特徴とする、ホースの巻き取り装置
【請求項２】
前記巻き取りリール（５）の外周の全周にチェーン（７）を巻回し、当該チェーン（７）に噛合するスプロケット（８）をモーター（９）により駆動せしめ、当該スプロケット（８）を前記チェーン（７）に対して噛合離脱可能にしたことを特徴とする、請求項１に記載のホースの巻き取り装置
【請求項３】
前記コンテナ（３）の側面に係止部材（１３）を設けると共に、当該係止部材（１３）における略前記複数段の巻き取りリール（５）の高さの位置に係止部（１４）を形成し、前記ローラーコンベア（１５）の上端を係止部（１４）に係止し、下端部を前記コンテナ３の側方において地上近傍に設置されたレール（１６）に前後に摺動可能に載置したことを特徴とする、請求項１に記載のホースの巻き取り装置
【請求項４】
前記案内ローラー群（１９）中にテンションローラー（２０）を設け、当該テンションローラー（２０）の回転にブレーキを掛けることにより前記巻き取りリール（５）に巻き取られるホース（１７）にテンションを掛けることを特徴とする、請求項１に記載のホースの巻き取り装置
【発明の詳細な説明】
【技術分野】
【０００１】
本発明は消防用ホースや、自然災害時における給水、排水用の柔軟なホースの巻き取り装置に関するものであって、特に地上に敷設されたホースをトラックで拾い上げながら回収する装置に関するものである。
【背景技術】
【０００２】
従来消防用ホースなどの柔軟なホースを地上に敷設した状態から、トラックで拾い上げながら回収する装置としては、特開平８−２９９４９０号公報（特許文献１）や、特開平９−１７３４９３号公報（特許文献２）に記載されたものが知られている。
【０００３】
これらの装置は、トラックに引き込み機構を取り付けたホース収納ボックスを搭載し、トラックの前方から前記引き込み機構で引き上げたホースをホース収納ボックスに折り畳んで収納するものであった。
【０００４】
しかしながらこれらの装置においては、トラックの前方でホースが引き摺られることがあり、さらにホースをホース収納ボックス内に垂らし込んで収納するものであるため、ホースが縺れたり一箇所に山積みになったりし易く、ホース収納ボックス内でホースを整理する作業が必要であった。
【０００５】
また前述の自然災害時における給水、排水用のホースの場合には、自然災害に備えてホースを用意しておく必要があるが、そのホースを何時使用することになるのか全く分からない状態で保管することになる。然るに前記特許文献に記載された装置においては、ホースをトラックに搭載したままで保管することとなり、前述のような使用方法のホースについては適用が困難である。さらに折り畳まれたホースの上にホースが積み重なっているため、長時間に亙って重量がかかって折り癖がつくなど、ホースに負担がかかって好ましくない。
【先行技術文献】
【特許文献】
【０００６】
【特許文献１】特開平８−２９９４９０号公報
【特許文献２】特開平９−１７３４９３号公報
【発明の概要】
【発明が解決しようとする課題】
【０００７】
本発明はかかる事情に鑑みなされたものであって、ホースをコンテナ内に設置されたリールに自動的に巻回して収納することができ、ホースを傷つけることがなく、さらに折り癖などの負担を掛けることがなく、且つ当該ホースの不使用時にはコンテナをトラックから下ろして、ホースを収納したコンテナのみを保管することができる、ホースの巻き取り装置を提供することを目的とするものである。
【課題を解決するための手段】
【０００８】
而して本発明のホースの巻き取り装置は、トラックに積み下ろし可能に搭載されるコンテナ内に設けられた、複数段に積み重ねられた巻き取りリールをそれぞれ独立して又は一体として回転駆動される巻き取り機と、前記コンテナの側面に設けられた、地上近傍から前記巻き取りリールの高さにまで斜め上方に向かって配置され、地上に水平に敷設された扁平状態のホースを略前記巻き取りリールの高さにまで引き上げるローラーコンベアと、当該ホースを垂直方向に捩じり、前記巻き取りリールにまで案内する案内ローラー群とよりなり、当該コンテナをトラックに搭載した状態で当該トラックを地上に敷設されたホースに沿って操縦し、当該ホースを順次拾い上げてリールに巻き取るようにしたことを特徴とするものである。
【０００９】
本発明においては、前記巻き取りリールの外周の全周にチェーンを巻回し、当該チェーンに噛合するスプロケットをモーターにより駆動せしめ、当該スプロケットを前記チェーンに対して噛合離脱可能にすることが好ましい。
【００１０】
また本発明においては、前記コンテナの側面に係止部材を設けると共に、当該係止部材における略前記複数段の巻き取りリールの高さの位置に係止部を形成し、前記ローラーコンベアの上端を係止部に係止し、下端部を地上近傍に設置されたレールに前後に摺動可能に載置することが好ましい。
【００１１】
さらに、前記案内ローラー群中にテンションローラーを設け、当該テンションローラーの回転にブレーキを掛けることにより前記巻き取りリールに巻き取られるホースにテンションを掛けることが好ましい。
【発明の効果】
【００１２】
本発明によれば、コンテナ内で回転駆動される巻き取りリールにホースを巻き取るので、巻き取りリールにホースを巻き取った状態において既に整理されており、前記特許文献に記載された装置のようにホース収納ボックス内に人が入って、垂らし込まれたホースを整理するなどの手間を要することがない。
【００１３】
また前記特許文献に記載された装置では、ホース収納ボックスの上部に取り付けられた引き込み機構でホースを引っ張り上げながらトラックを前進させるため、トラックの前方においてホースが引きずられることがあったが、本発明によれば地上近傍においてホースを拾い上げてローラーコンベアによりリールの高さまで引き上げるので、ホースが過度に引き摺られることがなく、傷付くことが少ない。
【００１４】
さらに本発明によれば、ホースを巻回した巻き取りリールを収納したコンテナを、トラックに積み下ろし可能に搭載しているので、ホースの不使用時にはトラックから下ろして保管することができ、トラックは他の用途に使用することができる。
【図面の簡単な説明】
【００１５】
【図１】本発明の装置のコンテナの一部を切り欠いて示した側面図
【図２】本発明の装置のコンテナを切り欠いて示した平面図
【図３】本発明におけるリールの駆動機構を示す拡大平面図
【発明を実施するための形態】
【００１６】
以下本発明を図面に基づいて説明する。図１及び図２は本発明のホースの巻き取り装置１をトラック２に搭載した状態を示すものであって、トラック２にコンテナ３が搭載されており、当該コンテナ３内に巻き取り機４が収納されている。
【００１７】
当該巻き取り機４は、水平方向に回転する複数の巻き取りリール５を、複数段（図面においては３段）に積み重ねられており、それらの巻き取りリール５がそれぞれ独立して、又は一体として、駆動機構６により回転駆動されるようになっている。そしてそれらの巻き取りリール５を独立して駆動するか一体として駆動するかは、適宜のクラッチ機構によって巻き取りリール５の回転を連結するか分離するかにより、任意に選択し得るようになっている。
【００１８】
而して図３は本発明における前記駆動機構６を示すものであって、前記巻き取りリール５の外周にチェーン７が巻回されており、当該チェーン７に噛合するスプロケット８が、モーター９により駆動せしめられるようになっている。
【００１９】
そしてこのスプロケット８及びモーター９を取り付けた台板１０の後端がコンテナ３のフレームに対してピン１１により回動自在に軸支されており、且つその先端部がエアシリンダー１２に取り付けられ、当該エアシリンダー１２によりスプロケット８が前記チェーン７に噛合離脱し得るようになっている。またこの駆動機構６は、各巻き取りリール５ごとに設けることもできるが、駆動する巻き取りリール５に移動して駆動するようにすることも可能である。
【００２０】
また前記コンテナ３の側面には上下に長い係止部材１３が設けられており、当該係止部材１３における前記複数段の巻き取りリール５の高さに略一致する位置に係止部１４が形成されている。そしてコンテナ３の側部に斜めに設けられたローラーコンベア１５の上端を、前記係止部材１３の係止部１４に係止している。
【００２１】
そして前記コンテナ３の側縁にレール１６を地表面の近傍にまで垂下し、当該レール１６が地表面の近傍において前後に延びており、前記ローラーコンベア１５の下端部の水平部分が前記レール１６上に前後に摺動可能に載置されている。
【００２２】
そして図１に鎖線で示すように、ローラーコンベア１５を前記巻き取りリール５に対応した係止部１４に係止することにより、ローラーコンベア１５の下端の水平部分が地上近傍においてレール１６上を前後に摺動し、常に略一定の高さにおいてホース１７を拾い上げるようになっている。
【００２３】
而して地上に扁平状態で水平に敷設されたホース１７に沿ってトラック２を操縦し、地上のホース１７をローラーコンベア１５で拾い上げる。そして当該ローラーコンベア１５に沿って後方に送られたホース１７は、前記巻き取りリール５と略同じ高さにまで引き上げられて、そこからコンテナ３の側部後端に設けられた案内ローラー１８までの間で、扁平状態のままで９０度捩じって垂直にする。
【００２４】
そして案内ローラー１８でホース１７の進行方向を反転してコンテナ３内に引き込み、案内ローラー群１９に案内されて、前記ローラーコンベア１５が係止された係止部１４に対応する巻き取りリール５に巻き付ける。
【００２５】
このとき案内ローラー群１９中にテンションローラー２０が設けられ、当該テンションローラー２０の回転にブレーキを掛けることにより、前記巻き取りリール５に巻き取られるホース１７にテンションを掛けることができるようになっている。
【００２６】
而して本発明の巻き取り装置１を使用するには、地上に敷設されたホース１７をローラーコンベア１５の先端で拾い上げて後上方に送り、当該ホース１７を捩じって垂直にし、案内ローラー１８で反転してコンテナ３内に引き込み、案内ローラー群１９及びテンションローラー２０に掛け回し、当該ホース１７の先端をコンテナ３内において巻き取りリール５に巻回する。
【００２７】
この状態でテンションローラー２０の回転にブレーキを掛けつつ、エアシリンダー１２でスプロケット８を巻き取りリール５の外周に巻回されたチェーン７に噛合せしめ、モーター９を駆動することにより、駆動機構６により巻き取りリール５を回転駆動し、巻き取りリール５にホース１７を巻回すると共に、地上からローラーコンベア１５に引き上げられるホース１７の速度に合わせて、地上のホース１７に沿ってトラック２を操縦してホース１７を引き上げ、巻き取りリール５に巻き取っていく。
【００２８】
このときテンションローラー２０によってブレーキを掛けつつ、巻き取りリール５にホース１７を巻回することにより、巻き取りリール５に巻回されるホース１７にテンションを掛けることができ、ホース１７が弛むことなく巻き取りリール５にしっかりと巻き付けることができる。
【００２９】
図１においては最下段の巻き取りリール５にホース１７を巻回しているが、当該最下段の巻き取りリール５が一杯になったならば、ローラーコンベア１５の上端を中段の巻き取りリール５に対応した係止部１４に移し、このときローラーコンベア１５の下端部はレール１６に沿って後方に摺動する。
【００３０】
さらに案内ローラー１８も中段の巻き取りリール５に対応した位置に移し、さらに駆動機構６におけるエアシリンダー１２でスプロケット８のチェーン７に対する噛合を解除し、駆動機構６を中段の巻き取りリール５に移してスプロケット８をチェーン７に噛合せしめ、ホース１７を中段の巻き取りリール５に移して、先と同様に当該中段の巻き取りリール５に巻回する。
【００３１】
なおこのとき、最下段の巻き取りリール５に巻回したホース１７と中段の巻き取りリール５に巻回したホース１７とを切り離すことができるならば、中段の巻き取りリール５のみを駆動機構６で駆動しても良く、またホース１７を最下段の巻き取りリール５から中段の巻き取りリール５に連続して巻回するのであれば、前記クラッチ機構により両巻き取りリール５を連結して駆動することも可能である。
【００３２】
さらに中段の巻き取りリール５がホースで一杯になったならば、先と同様にローラーコンベア１５の上端を最上段の巻き取りリール５に対応した係止部１４に移し、案内ローラー１８及び駆動機構６も最上段の巻き取りリール５に対応せしめる。このときも前述の最下段から中段に移すときと同様に、最上段の巻き取りリール５のみを回転駆動するか中段の巻き取りリール５と連結するかは自由である。
【００３３】
このようにして、地上のホース１７に沿ってトラック２を操縦し、すべてのホース１７をローラーコンベア１５で拾い上げて、自動的に巻き取り機４の巻き取りリール５に巻回することができる。
【００３４】
而してすべてのホース１７を巻き取り機４に巻回し終わったならば、ローラーコンベア１５及びレール１６を取り外してコンテナ３内に収納し、案内ローラー１８を回転軸２１を軸として時計方向に回動して、鎖線で示すようにコンテナ３内に収納し、コンテナ３の後ろの扉を閉めて、所要の倉庫などの箇所に運搬してコンテナ３をトラック２から下ろすことができる。
【００３５】
また巻き取り機４に巻回したホース１７を展張する場合には、コンテナ３をトラック２に搭載して所要の使用箇所に運搬し、そこでエアシリンダー１２でスプロケット８のチェーン７への噛合を解除して巻き取りリール５をフリーに回転可能としておき、巻き取り機４からホース１７を引き出し、その先端を地上において保持してトラック２を前方に移動させることにより、巻き取りリール５からホース１７を繰り出し、地上に敷設する。このときもし必要であれば、トラック２の後部にローラーコンベア１５を設置し、その上にホース１７を滑らせて繰り出すことも可能である。
【００３６】
またこのとき、ホース１７の繰り出しにより巻き取りリール５が空転して、ホース１７に緩みが生じてホース１７が蛇行するようであれば、巻き取りリール５の回転に適宜ブレーキを掛け、ホース１７にテンションを掛けつつ繰り出すこともできる。
【符号の説明】
【００３７】
１  巻き取り装置
２  トラック
３  コンテナ
４  巻き取り機
５  巻き取りリール
６  駆動機構
７  チェーン
８  スプロケット
９  モーター
１２  エアシリンダー
１３  係止部材
１４  係止部
１５  ローラーコンベア
１６  レール
１７  ホース
１８  案内ローラー
１９  案内ローラー群
２０  テンションローラー
【図１】
0006369903.tif 000002
【図２】
0006369903.tif 000003
【図３】
0006369903.tif 000004